(57)【要約】【課題】低コストで、カード状媒体にパンチ孔を精度良く開けられるように媒体処理装置を調整することが可能になる媒体処理装置の調整方法を提案する。【解決手段】この媒体処理装置の調整方法は、基準媒体２５の端部が媒体端部検知機構７で検知された位置を基準にして、基準パンチ孔２５ａをパンチ刃５の配置位置に到達させるために初期設定された搬送距離Ｌ３だけ基準媒体２５を搬送して停止させるステップと、停止した基準媒体２５の停止位置と、基準媒体２５が一方向へ搬送されるときにパンチ孔検知機構８が基準パンチ孔２５ａを検知し始めてから検知し終わるまでの中心位置との間の基準媒体２５の搬送距離Ｌ２を算出するステップと、基準媒体２５の搬送方向におけるパンチ孔検知機構８とパンチ刃５との距離Ｌ３と搬送距離Ｌ２との差ΔＬに基づいて調整値を算出して記憶手段に記憶させるステップとを備えている。【選択図】図２
2016051356.tif 000002
【特許請求の範囲】
【請求項１】
駆動源となるモータおよび前記モータの回転量を検知する回転量検知機構を有しカード状媒体を搬送する搬送機構と、前記カード状媒体の一部を打ち抜いて前記カード状媒体にパンチ孔を開けるパンチ刃と、前記カード状媒体の搬送方向における前記カード状媒体の端部を検知する媒体端部検知機構と、前記カード状媒体の前記パンチ孔を検知するパンチ孔検知機構とを備え、前記媒体端部検知機構と前記パンチ孔検知機構と前記パンチ刃とが前記カード状媒体の搬送方向においてこの順番に配置される媒体処理装置の調整方法であって、
所定の基準位置に前記パンチ孔が形成された前記カード状媒体を基準媒体とし、前記基準媒体に形成された前記パンチ孔を基準パンチ孔とすると、
前記媒体処理装置に前記基準媒体を挿入する媒体挿入ステップと、
前記媒体挿入ステップで挿入され前記搬送機構で搬送される前記基準媒体の端部が前記媒体端部検知機構で検知された位置を基準にして、前記基準パンチ孔を前記パンチ刃の配置位置に到達させるために初期設定された搬送距離、前記回転量検知機構での検知結果に基づいて前記搬送機構で前記基準媒体を搬送して停止させる媒体搬送停止ステップと、
前記媒体搬送停止ステップで停止した前記基準媒体の停止位置と、前記カード状媒体の搬送方向の一方へ前記基準媒体が搬送されるときに前記パンチ孔検知機構が前記基準パンチ孔を検知し始めてから前記基準パンチ孔を検知し終わるまでの中心位置との間の前記基準媒体の搬送距離を前記回転量検知機構での検知結果に基づいて算出する搬送距離算出ステップと、
前記カード状媒体の搬送方向における前記パンチ孔検知機構と前記パンチ刃との距離と、前記搬送距離算出ステップで算出された搬送距離との差に基づいて調整値を算出し、前記調整値を前記媒体処理装置の記憶手段に記憶させる調整値算出記憶ステップとを備えることを特徴とする媒体処理装置の調整方法。
【請求項２】
前記媒体搬送停止ステップ後に、前記媒体搬送停止ステップでの搬送方向と逆方向へ、かつ、少なくとも前記パンチ孔検知機構が前記基準パンチ孔を検知し始めてから前記基準パンチ孔を検知し終わるまで前記搬送機構で前記基準媒体を搬送して停止させる第２媒体搬送停止ステップを備え、
前記搬送距離算出ステップでは、前記媒体搬送停止ステップで停止した前記基準媒体の停止位置と、前記第２媒体搬送停止ステップにおいて前記パンチ孔検知機構が前記基準パンチ孔を検知し始めてから前記基準パンチ孔を検知し終わるまでの中心位置との間の前記基準媒体の搬送距離を算出することを特徴とする請求項１記載の媒体処理装置の調整方法。
【請求項３】
前記搬送距離算出ステップでは、前記媒体搬送停止ステップで停止した前記基準媒体の停止位置と、前記媒体搬送停止ステップにおいて前記パンチ孔検知機構が前記基準パンチ孔を検知し始めてから前記基準パンチ孔を検知し終わるまでの中心位置との間の前記基準媒体の搬送距離を算出することを特徴とする請求項１記載の媒体処理装置の調整方法。
【請求項４】
駆動源となるモータおよび前記モータの回転量を検知する回転量検知機構を有しカード状媒体を搬送する搬送機構と、前記カード状媒体の一部を打ち抜いて前記カード状媒体にパンチ孔を開けるパンチ刃と、前記カード状媒体の搬送方向における前記カード状媒体の端部を検知する媒体端部検知機構と、前記カード状媒体の前記パンチ孔を検知するパンチ孔検知機構とを備え、前記媒体端部検知機構と前記パンチ孔検知機構と前記パンチ刃とが前記カード状媒体の搬送方向においてこの順番に配置される媒体処理装置の調整方法であって、
所定の基準位置に前記パンチ孔が形成された前記カード状媒体を基準媒体とし、前記基準媒体に形成された前記パンチ孔を基準パンチ孔とすると、
前記媒体処理装置に前記基準媒体を挿入する媒体挿入ステップと、
前記媒体挿入ステップで挿入され前記搬送機構で搬送される前記基準媒体の端部が前記媒体端部検知機構で検知された位置を基準にして、前記基準パンチ孔を前記パンチ刃の配置位置に到達させるために初期設定された搬送距離、前記回転量検知機構での検知結果に基づいて前記搬送機構で前記基準媒体を搬送して停止させる媒体搬送停止ステップと、
前記媒体搬送停止ステップ後に、前記媒体搬送停止ステップでの搬送方向と逆方向へ、かつ、少なくとも前記パンチ孔検知機構が前記基準パンチ孔を検知し始めるまで前記搬送機構で前記基準媒体を搬送して停止させる第２媒体搬送停止ステップと、
前記媒体搬送停止ステップで前記パンチ孔検知機構が前記基準パンチ孔を検知し始める位置と前記第２媒体搬送停止ステップで前記パンチ孔検知機構が前記基準パンチ孔を検知し始める位置との中心位置と、前記媒体搬送停止ステップで停止した前記基準媒体の停止位置との間の前記基準媒体の搬送距離を前記回転量検知機構での検知結果に基づいて算出する搬送距離算出ステップと、
前記カード状媒体の搬送方向における前記パンチ孔検知機構と前記パンチ刃との距離と、前記搬送距離算出ステップで算出された搬送距離との差に基づいて調整値を算出し、前記調整値を前記媒体処理装置の記憶手段に記憶させる調整値算出記憶ステップとを備えることを特徴とする媒体処理装置の調整方法。
【請求項５】
駆動源となるモータおよび前記モータの回転量を検知する回転量検知機構を有しカード状媒体を搬送する搬送機構と、前記カード状媒体の一部を打ち抜いて前記カード状媒体にパンチ孔を開けるパンチ刃と、前記カード状媒体の搬送方向における前記カード状媒体の端部を検知する媒体端部検知機構と、前記カード状媒体の前記パンチ孔を検知するパンチ孔検知機構とを備え、前記媒体端部検知機構と前記パンチ孔検知機構と前記パンチ刃とが前記カード状媒体の搬送方向においてこの順番に配置される媒体処理装置の調整方法であって、
所定の基準位置に前記パンチ孔が形成された前記カード状媒体を基準媒体とし、前記基準媒体に形成された前記パンチ孔を基準パンチ孔とすると、
前記媒体処理装置に前記基準媒体を挿入する媒体挿入ステップと、
前記媒体挿入ステップで挿入され前記搬送機構で搬送される前記基準媒体の端部が前記媒体端部検知機構で検知された位置を基準にして、前記基準パンチ孔を前記パンチ刃の配置位置に到達させるために初期設定された搬送距離、前記回転量検知機構での検知結果に基づいて前記搬送機構で前記基準媒体を搬送して停止させる媒体搬送停止ステップと、
前記媒体搬送停止ステップ後に、前記媒体搬送停止ステップでの搬送方向と逆方向へ、かつ、少なくとも前記パンチ孔検知機構が前記基準パンチ孔を検知し始めてから前記基準パンチ孔を検知し終わるまで前記搬送機構で前記基準媒体を搬送して停止させる第２媒体搬送停止ステップと、
前記媒体搬送停止ステップで前記パンチ孔検知機構が前記基準パンチ孔を検知し終わる位置と前記第２媒体搬送停止ステップで前記パンチ孔検知機構が前記基準パンチ孔を検知し終わる位置との中心位置と、前記媒体搬送停止ステップで停止した前記基準媒体の停止位置との間の前記基準媒体の搬送距離を前記回転量検知機構での検知結果に基づいて算出する搬送距離算出ステップと、
前記カード状媒体の搬送方向における前記パンチ孔検知機構と前記パンチ刃との距離と、前記搬送距離算出ステップで算出された搬送距離との差に基づいて調整値を算出し、前記調整値を前記媒体処理装置の記憶手段に記憶させる調整値算出記憶ステップとを備えることを特徴とする媒体処理装置の調整方法。
【請求項６】
前記パンチ孔検知機構は、前記カード状媒体が通過する搬送路を前記カード状媒体の厚さ方向で挟むように配置される発光部および受光部を備える光学センサであることを特徴とする請求項１から５のいずれかに記載の媒体処理装置の調整方法。
【発明の詳細な説明】
【技術分野】
【０００１】
本発明は、カード状媒体にパンチ孔を開けるパンチ刃を有する媒体処理装置の調整方法に関する。
【背景技術】
【０００２】
従来、プリペイドカードに対して穿孔処理を行うカード処理装置が知られている（たとえば、特許文献１参照）。特許文献１に記載のカード処理装置は、カードが搬送されるカード搬送路と、カード搬送路でカードを搬送する搬送機構とを備えている。搬送機構は、２個のローラと、２個のローラに架け渡されたベルトと、一方のローラを回転駆動するモータとを備えている。モータには、ロータリーエンコーダが連結されている。また、このカード処理装置は、カード搬送路を挟むように対向配置される投光器および受光器からなるセンサと、カードにパンチ孔を開けるための穿孔器とを備えている。
【０００３】
特許文献１に記載のカード処理装置では、カード処理装置の調整を行う校正モードにおいて、予め規定位置にパンチ孔が正確に開けられた第１の校正用カードと、パンチ孔が開いていない第２の校正用カードとが使用されている。また、このカード処理装置では、校正モードにおいて、まず、第１の校正用カードをカード搬送路に取り込むとともに、カードの先端がセンサで検知されると、ロータリーエンコーダの信号の計数を開始し、パンチ孔の位置をロータリーエンコーダの計数値に基づいて検知する。また、パンチ孔の検知位置と規定位置との誤差を算出して、メモリに記憶する。その後、第２の校正用カードをカード搬送路に取り込むとともに、穿孔目標位置として規定位置を指定して穿孔処理を行う。また、穿孔処理後の第２の校正用カードをカード挿入口側に一旦戻してから、カード搬送路に再度取り込んで、穿孔したパンチ孔の位置を検知する。また、パンチ孔の検知位置と規定位置との誤差を算出して、メモリに記憶する。
【０００４】
特許文献１に記載のカード処理装置では、第１の校正用カードを用いてパンチ孔検知位置の誤差が算出され、第２の校正用カードを用いて穿孔位置の誤差が算出されるとともに、算出された２つの誤差がメモリに記憶されている。また、このカード処理装置では、メモリに記憶された２つの誤差を補正することで、カードにパンチ孔を精度良く開けることが可能となっている。
【先行技術文献】
【特許文献】
【０００５】
【特許文献１】特開２０００−１１３１１７号公報
【発明の概要】
【発明が解決しようとする課題】
【０００６】
特許文献１に記載のカード処理装置では、上述のように、カードにパンチ孔を精度良く開けることが可能になっている。しかしながら、このカード処理装置では、校正モードにおいて、第２の校正用カードにパンチ孔が開けられる。一旦パンチ孔が開けられた第２の校正用カードを校正モードで再利用することは難しいため、このカード処理装置では、カード処理装置の調整をおこなうたびに、新たな第２の校正用カードを準備しなければならず、カード処理装置の調整コストが高くなる。
【０００７】
そこで、本発明の課題は、低コストで、カード状媒体にパンチ孔を精度良く開けられるように媒体処理装置を調整することが可能になる媒体処理装置の調整方法を提案することにある。
【課題を解決するための手段】
【０００８】
上記の課題を解決するため、本発明の媒体処理装置の調整方法は、駆動源となるモータおよびモータの回転量を検知する回転量検知機構を有しカード状媒体を搬送する搬送機構と、カード状媒体の一部を打ち抜いてカード状媒体にパンチ孔を開けるパンチ刃と、カード状媒体の搬送方向におけるカード状媒体の端部を検知する媒体端部検知機構と、カード状媒体のパンチ孔を検知するパンチ孔検知機構とを備え、媒体端部検知機構とパンチ孔検知機構とパンチ刃とがカード状媒体の搬送方向においてこの順番に配置される媒体処理装置の調整方法であって、所定の基準位置にパンチ孔が形成されたカード状媒体を基準媒体とし、基準媒体に形成されたパンチ孔を基準パンチ孔とすると、媒体処理装置に基準媒体を挿入する媒体挿入ステップと、媒体挿入ステップで挿入され搬送機構で搬送される基準媒体の端部が媒体端部検知機構で検知された位置を基準にして、基準パンチ孔をパンチ刃の配置位置に到達させるために初期設定された搬送距離、回転量検知機構での検知結果に基づいて搬送機構で基準媒体を搬送して停止させる媒体搬送停止ステップと、媒体搬送停止ステップで停止した基準媒体の停止位置と、カード状媒体の搬送方向の一方へ基準媒体が搬送されるときにパンチ孔検知機構が基準パンチ孔を検知し始めてから基準パンチ孔を検知し終わるまでの中心位置との間の基準媒体の搬送距離を回転量検知機構での検知結果に基づいて算出する搬送距離算出ステップと、カード状媒体の搬送方向におけるパンチ孔検知機構とパンチ刃との距離と、搬送距離算出ステップで算出された搬送距離との差に基づいて調整値を算出し、調整値を媒体処理装置の記憶手段に記憶させる調整値算出記憶ステップとを備えることを特徴とする。
【０００９】
本発明において、媒体処理装置の調整方法は、たとえば、媒体搬送停止ステップ後に、媒体搬送停止ステップでの搬送方向と逆方向へ、かつ、少なくともパンチ孔検知機構が基準パンチ孔を検知し始めてから基準パンチ孔を検知し終わるまで搬送機構で基準媒体を搬送して停止させる第２媒体搬送停止ステップを備え、搬送距離算出ステップでは、媒体搬送停止ステップで停止した基準媒体の停止位置と、第２媒体搬送停止ステップにおいてパンチ孔検知機構が基準パンチ孔を検知し始めてから基準パンチ孔を検知し終わるまでの中心位置との間の基準媒体の搬送距離を算出する。
【００１０】
また、本発明において、搬送距離算出ステップでは、媒体搬送停止ステップで停止した基準媒体の停止位置と、媒体搬送停止ステップにおいてパンチ孔検知機構が基準パンチ孔を検知し始めてから基準パンチ孔を検知し終わるまでの中心位置との間の基準媒体の搬送距離を算出しても良い。
【００１１】
また、上記の課題を解決するため、本発明の媒体処理装置の調整方法は、駆動源となるモータおよびモータの回転量を検知する回転量検知機構を有しカード状媒体を搬送する搬送機構と、カード状媒体の一部を打ち抜いてカード状媒体にパンチ孔を開けるパンチ刃と、カード状媒体の搬送方向におけるカード状媒体の端部を検知する媒体端部検知機構と、カード状媒体のパンチ孔を検知するパンチ孔検知機構とを備え、媒体端部検知機構とパンチ孔検知機構とパンチ刃とがカード状媒体の搬送方向においてこの順番に配置される媒体処理装置の調整方法であって、所定の基準位置にパンチ孔が形成されたカード状媒体を基準媒体とし、基準媒体に形成されたパンチ孔を基準パンチ孔とすると、媒体処理装置に基準媒体を挿入する媒体挿入ステップと、媒体挿入ステップで挿入され搬送機構で搬送される基準媒体の端部が媒体端部検知機構で検知された位置を基準にして、基準パンチ孔をパンチ刃の配置位置に到達させるために初期設定された搬送距離、回転量検知機構での検知結果に基づいて搬送機構で基準媒体を搬送して停止させる媒体搬送停止ステップと、媒体搬送停止ステップ後に、媒体搬送停止ステップでの搬送方向と逆方向へ、かつ、少なくともパンチ孔検知機構が基準パンチ孔を検知し始めるまで搬送機構で基準媒体を搬送して停止させる第２媒体搬送停止ステップと、媒体搬送停止ステップでパンチ孔検知機構が基準パンチ孔を検知し始める位置と第２媒体搬送停止ステップでパンチ孔検知機構が基準パンチ孔を検知し始める位置との中心位置と、媒体搬送停止ステップで停止した基準媒体の停止位置との間の基準媒体の搬送距離を回転量検知機構での検知結果に基づいて算出する搬送距離算出ステップと、カード状媒体の搬送方向におけるパンチ孔検知機構とパンチ刃との距離と、搬送距離算出ステップで算出された搬送距離との差に基づいて調整値を算出し、調整値を媒体処理装置の記憶手段に記憶させる調整値算出記憶ステップとを備えることを特徴とする。
【００１２】
さらに、上記の課題を解決するため、本発明の媒体処理装置の調整方法は、駆動源となるモータおよびモータの回転量を検知する回転量検知機構を有しカード状媒体を搬送する搬送機構と、カード状媒体の一部を打ち抜いてカード状媒体にパンチ孔を開けるパンチ刃と、カード状媒体の搬送方向におけるカード状媒体の端部を検知する媒体端部検知機構と、カード状媒体のパンチ孔を検知するパンチ孔検知機構とを備え、媒体端部検知機構とパンチ孔検知機構とパンチ刃とがカード状媒体の搬送方向においてこの順番に配置される媒体処理装置の調整方法であって、所定の基準位置にパンチ孔が形成されたカード状媒体を基準媒体とし、基準媒体に形成されたパンチ孔を基準パンチ孔とすると、媒体処理装置に基準媒体を挿入する媒体挿入ステップと、媒体挿入ステップで挿入され搬送機構で搬送される基準媒体の端部が媒体端部検知機構で検知された位置を基準にして、基準パンチ孔をパンチ刃の配置位置に到達させるために初期設定された搬送距離、回転量検知機構での検知結果に基づいて搬送機構で基準媒体を搬送して停止させる媒体搬送停止ステップと、媒体搬送停止ステップ後に、媒体搬送停止ステップでの搬送方向と逆方向へ、かつ、少なくともパンチ孔検知機構が基準パンチ孔を検知し始めてから基準パンチ孔を検知し終わるまで搬送機構で基準媒体を搬送して停止させる第２媒体搬送停止ステップと、媒体搬送停止ステップでパンチ孔検知機構が基準パンチ孔を検知し終わる位置と第２媒体搬送停止ステップでパンチ孔検知機構が基準パンチ孔を検知し終わる位置との中心位置と、媒体搬送停止ステップで停止した基準媒体の停止位置との間の基準媒体の搬送距離を回転量検知機構での検知結果に基づいて算出する搬送距離算出ステップと、カード状媒体の搬送方向におけるパンチ孔検知機構とパンチ刃との距離と、搬送距離算出ステップで算出された搬送距離との差に基づいて調整値を算出し、調整値を媒体処理装置の記憶手段に記憶させる調整値算出記憶ステップとを備えることを特徴とする。
【００１３】
本発明では、上述の媒体挿入ステップと、媒体搬送停止ステップと、搬送距離算出ステップと、調整値算出記憶ステップとを有する媒体処理装置の調整方法によって、媒体処理装置の調整を行っている。あるいは、本発明では、上述の媒体挿入ステップと、媒体搬送停止ステップと、第２媒体搬送停止ステップと、搬送距離算出ステップと、調整値算出記憶ステップとを有する媒体処理装置の調整方法によって、媒体処理装置の調整を行っている。そのため、本発明の媒体処理装置の調整方法では、基準媒体にパンチ孔を開けることなく、媒体処理装置を調整することが可能になる。したがって、本発明では、媒体処理装置の調整時に基準媒体を繰り返し使用することが可能になり、その結果、低コストで媒体処理装置を調整することが可能になる。
【００１４】
また、本発明の媒体処理装置の調整方法では、搬送距離算出ステップにおいて、媒体搬送停止ステップで停止した基準媒体の停止位置と、カード状媒体の搬送方向の一方へ基準媒体が搬送されるときにパンチ孔検知機構が基準パンチ孔を検知し始めてから基準パンチ孔を検知し終わるまでの中心位置との間の基準媒体の搬送距離を回転量検知機構での検知結果に基づいて算出している。または、本発明の媒体処理装置の調整方法では、搬送距離算出ステップにおいて、媒体搬送停止ステップでパンチ孔検知機構が基準パンチ孔を検知し始める位置と第２媒体搬送停止ステップでパンチ孔検知機構が基準パンチ孔を検知し始める位置との中心位置と、媒体搬送停止ステップで停止した基準媒体の停止位置との間の基準媒体の搬送距離を回転量検知機構での検知結果に基づいて算出している。あるいは、本発明の媒体処理装置の調整方法では、搬送距離算出ステップにおいて、媒体搬送停止ステップでパンチ孔検知機構が基準パンチ孔を検知し終わる位置と第２媒体搬送停止ステップでパンチ孔検知機構が基準パンチ孔を検知し終わる位置との中心位置と、媒体搬送停止ステップで停止した基準媒体の停止位置との間の基準媒体の搬送距離を回転量検知機構での検知結果に基づいて算出している。
【００１５】
そのため、本発明では、搬送距離算出ステップにおいて、パンチ孔検知機構の検知誤差の影響が排除された状態の基準媒体の搬送距離を算出することが可能になる。また、本発明では、媒体端部検知機構とパンチ孔検知機構とパンチ刃とがカード状媒体の搬送方向においてこの順番に配置されており、搬送距離算出ステップにおいて算出される搬送距離は比較的短くなっている。そのため、本発明では、搬送距離算出ステップにおいて、搬送機構による搬送誤差等の誤差の影響が抑制された状態の基準媒体の搬送距離を算出することが可能になる。
【００１６】
このように、本発明では、搬送距離算出ステップにおいて、パンチ孔検知機構の検知誤差の影響が排除された状態であって、かつ、搬送機構による搬送誤差等の誤差の影響が抑制された状態の基準媒体の搬送距離を算出することが可能になるため、搬送距離算出ステップにおいて、基準媒体が停止したときのパンチ孔の位置とパンチ孔検知機構との、カード状媒体の搬送方向における距離を精度良く算出することが可能になる。したがって、本発明では、調整値算出記憶ステップにおいて、カード状媒体の搬送方向におけるパンチ孔検知機構とパンチ刃との距離と、搬送距離算出ステップで算出された搬送距離との差に基づいて、精度の高い調整値を算出することが可能になる。その結果、本発明では、カード状媒体にパンチ孔を精度良く開けられるように媒体処理装置を調整することが可能になる。
【００１７】
本発明において、パンチ孔検知機構は、たとえば、カード状媒体が通過する搬送路をカード状媒体の厚さ方向で挟むように配置される発光部および受光部を備える光学センサである。
【発明の効果】
【００１８】
以上のように、本発明の媒体処理装置の調整方法によれば、低コストで、カード状媒体にパンチ孔を精度良く開けられるように媒体処理装置を調整することが可能になる。
【図面の簡単な説明】
【００１９】
【図１】本発明の実施の形態にかかる媒体処理装置の概略構成を説明するための側面図である。
【図２】図１に示す媒体処理装置の概略構成を説明するための平面図である。
【図３】図１に示す媒体処理装置の調整方法を説明するためのフローチャートである。
【図４】図１に示すパンチ孔検知機構による基準パンチ孔の検知方法を説明するための図である。
【発明を実施するための形態】
【００２０】
以下、図面を参照しながら、本発明の実施の形態を説明する。
【００２１】
（媒体処理装置の構成）
図１は、本発明の実施の形態にかかる媒体処理装置１の概略構成を説明するための側面図である。図２は、図１に示す媒体処理装置１の概略構成を説明するための平面図である。
【００２２】
本形態の媒体処理装置１は、カード状媒体に記録された磁気データの読取やカード状媒体への磁気データの記録を行うための装置である。媒体処理装置１の内部には、カード挿入口から挿入されたカード状媒体が通過する搬送路３が形成されている。媒体処理装置１は、カード状媒体に記録された磁気データの読取やカード状媒体への磁気データの記録を行う磁気ヘッド（図示省略）と、搬送路３でカード状媒体を搬送する搬送機構４とを備えている。
【００２３】
また、媒体処理装置１は、カード状媒体の一部を打ち抜いてカード状媒体にパンチ孔を開けるパンチ刃５を有するパンチ機構６と、カード状媒体の搬送方向（図１のＸ方向）におけるカード状媒体の端部を検知する媒体端部検知機構７と、カード状媒体に開いたパンチ孔を検知するパンチ孔検知機構８とを備えている。媒体端部検知機構７と、パンチ孔検知機構８と、パンチ刃５とは、カード状媒体の搬送方向においてこの順番に配置されている。
【００２４】
カード状媒体は、厚さが０．１８〜０．３６ｍｍ程度のＰＥＴ（ポリエチレンテレフタレート）カードである。カード状媒体には、磁気データが記録される磁気ストライプが形成されている。なお、カード状媒体は、所定の厚さの紙カード等であっても良いし、厚さが０．７〜０．８ｍｍ程度の塩化ビニール製のカードであっても良い。
【００２５】
搬送機構４は、カード状媒体に接触してカード状媒体を搬送する搬送ローラ１０と、搬送ローラ１０を駆動する駆動源としてのモータ１１と、モータ１１の回転量を検知する回転量検知機構１２とを備えている。搬送ローラ１０には、パッドローラ１３が対向配置されており、パッドローラ１３は、搬送ローラ１０に向かって付勢されている。また、搬送ローラ１０は、プーリやベルト等の動力伝達機構（図示省略）を介してモータ１１に連結されている。回転量検知機構１２は、たとえば、ロータリーエンコーダである。
【００２６】
パンチ機構６は、パンチ刃５を駆動する駆動源１５と、パンチ刃５がカード状媒体にパンチ孔を開けるときにカード状媒体を受ける受け台１６とを備えている。駆動源１５は、たとえば、ソレノイドである。この駆動源１５は、パンチ刃５が搬送路３から退避した位置と、パンチ刃５が搬送路３に突出してカード状媒体にパンチ孔を開ける位置との間でパンチ刃５を移動させる。
【００２７】
媒体端部検知機構７は、発光部１８と受光部１９とを有する光学センサである。発光部１８と受光部１９とは、カード状媒体の厚さ方向において搬送路３を挟むように配置されている。パンチ孔検知機構８は、媒体端部検知機構７と同様に、発光部２０と受光部２１とを有する光学センサである。発光部２０と受光部２１とは、カード状媒体の厚さ方向において搬送路３を挟むように配置されている。パンチ孔検知機構８は、搬送路３を通過するカード状媒体の幅方向（カード状媒体の搬送方向とカード状媒体の厚さ方向とに直交する方向）において、パンチ孔が形成される位置に配置されている。また、媒体端部検知機構７は、カード状媒体の幅方向において、パンチ孔検知機構８とずれた位置に配置されている。
【００２８】
（媒体処理装置の調整方法）
図３は、図１に示す媒体処理装置１の調整方法を説明するためのフローチャートである。図４は、図１に示すパンチ孔検知機構８による基準パンチ孔２５ａの検知方法を説明するための図である。
【００２９】
媒体処理装置１では、パンチ刃５によってカード状媒体の正しい位置にパンチ孔を開けることが可能となるように調整が行われる。この調整では、所定の基準位置に１個のパンチ孔が形成された（すなわち、１箇所の正しい位置のパンチ孔が形成された）カード状媒体である基準媒体２５が使用される。以下では、基準媒体２５に形成されたパンチ孔を基準パンチ孔２５ａとする。また、媒体処理装置１の調整は以下の手順で行われる。
【００３０】
すなわち、媒体処理装置１の調整を行うときには、図３のフローチャートに示すように、まず、媒体処理装置１に基準媒体２５を挿入する（媒体挿入ステップ、ステップＳ１）。その後、ステップＳ１で挿入され搬送機構４で搬送される基準媒体２５の端部が媒体端部検知機構７で検知された位置を基準にして、基準パンチ孔２５ａをパンチ刃５の配置位置に到達させるために初期設定された搬送距離Ｌ１、搬送機構４で基準媒体２５を搬送して停止させる（媒体搬送停止ステップ、ステップＳ２）。
【００３１】
具体的には、ステップＳ２では、図２に示すように、基準媒体２５の移動方向における基準媒体２５の先端部が媒体端部検知機構７で検知された位置を基準にして、回転量検知機構１２での検知結果に基づいて、搬送距離Ｌ１だけ基準媒体２５を搬送して停止させる。搬送距離Ｌ１は、たとえば、設計上算出される値であり、ステップＳ２において、基準パンチ孔２５ａは、パンチ孔検知機構８を通過している。なお、搬送距離Ｌ１は、設計上算出される距離に予め算出された補正値を加算することで算出される値、または、設計上算出される距離から予め算出された補正値を減算することで算出される値であっても良い。
【００３２】
その後、ステップＳ２での搬送方向と逆方向へ、かつ、少なくともパンチ孔検知機構８が基準パンチ孔２５ａを検知し始めてから基準パンチ孔２５ａを検知し終わるまで搬送機構４で基準媒体２５を搬送して停止させる（第２媒体搬送停止ステップ、ステップＳ３）。その後、ステップＳ２で停止した基準媒体２５の停止位置と、ステップＳ３においてパンチ孔検知機構８が基準パンチ孔２５ａを検知し始めてから基準パンチ孔２５ａを検知し終わるまでの中心位置Ｃとの間の基準媒体２５の搬送距離Ｌ２を算出する（搬送距離算出ステップ、ステップＳ４）。すなわち、ステップＳ３では、ステップＳ２で停止した基準媒体２５の停止位置と、カード状媒体の搬送方向の一方へ基準媒体２５が搬送されるときにパンチ孔検知機構８が基準パンチ孔２５ａを検知し始めてから基準パンチ孔２５ａを検知し終わるまでの中心位置Ｃとの間の基準媒体２５の搬送距離Ｌ２を算出する。
【００３３】
具体的には、ステップＳ４では、図４に示すように、受光部２１の出力信号ＳＧのレベルが所定の閾値ｔｈを超えてパンチ孔検知機構８が基準パンチ孔２５ａを検知し始める検知開始位置Ｐ１（図４の破線で示す位置に基準パンチ孔２５ａがあるときの基準媒体２５の位置）と、受光部２１の出力信号ＳＧのレベルが閾値ｔｈ未満となってパンチ孔検知機構８が基準パンチ孔２５ａを検知し終わる検知終了位置Ｐ２（図４の二点鎖線で示す位置に基準パンチ孔２５ａがあるときの基準媒体２５の位置）との中心位置Ｃと、ステップＳ２で停止した基準媒体２５の停止位置との間の基準媒体２５の搬送距離Ｌ２を算出する。
【００３４】
すなわち、ステップＳ４では、搬送距離Ｌ１だけ搬送されて停止した基準媒体２５の基準パンチ孔２５ａとパンチ孔検知機構８との、基準媒体２５の搬送方向における距離を算出する。具体的には、搬送距離Ｌ１だけ搬送されて停止した基準媒体２５の基準パンチ孔２５ａの中心とパンチ孔検知機構８の中心との、基準媒体２５の搬送方向における距離を算出する。また、ステップＳ４では、回転量検知機構１２での検知結果に基づいて搬送距離Ｌ２を算出する。
【００３５】
その後、基準媒体２５の搬送方向（すなわち、カード状媒体の搬送方向）におけるパンチ孔検知機構８とパンチ刃５との距離Ｌ３と、ステップＳ４で算出された搬送距離Ｌ２との差ΔＬに基づいて調整値を算出するとともに、この調整値を媒体処理装置１の記憶手段（メモリ）に記憶させる（調整値算出記憶ステップ、ステップＳ５）。具体的には、ステップＳ５では、基準媒体２５の搬送方向におけるパンチ孔検知機構８の中心とパンチ刃５の中心との距離Ｌ３と搬送距離Ｌ２との差ΔＬに基づいて調整値を算出する。なお、距離Ｌ３は、設計上算出される値、あるいは、実測された値である。
【００３６】
以上の調整方法で調整された媒体処理装置１において、実際にカード状媒体にパンチ孔が開けられるときには、搬送機構４で搬送される基準媒体２５の端部が媒体端部検知機構７で検知された位置を基準にして、ステップＳ５で算出された調整値を搬送距離Ｌ１に加算した距離、または、ステップＳ５で算出された調整値を搬送距離Ｌ１から減算した距離、カード状媒体を搬送して停止させた後に、パンチ機構６によって、カード状媒体にパンチ孔が開けられる。
【００３７】
（本形態の主な効果）
以上説明したように、本形態では、基準パンチ孔２５ａが形成された基準媒体２５を使用して、上述のように媒体処理装置１の調整を行っている。そのため、本形態では、基準媒体２５にパンチ孔を開けることなく、媒体処理装置１を調整することが可能になる。したがって、本形態では、媒体処理装置１の調整時に基準媒体２５を繰り返し使用することが可能になり、その結果、低コストで媒体処理装置１を調整することが可能になる。
【００３８】
また、本形態では、ステップＳ４において、ステップＳ２で停止した基準媒体２５の停止位置と、ステップＳ３においてパンチ孔検知機構８が基準パンチ孔２５ａを検知し始めてから基準パンチ孔２５ａを検知し終わるまでの中心位置Ｃとの間の基準媒体２５の搬送距離Ｌ２を算出している。そのため、本形態では、ステップＳ４において、パンチ孔検知機構８の検知誤差の影響が排除された状態の基準媒体２５の搬送距離Ｌ２を算出することが可能になる。また、本形態では、媒体端部検知機構７とパンチ孔検知機構８とパンチ刃５とがカード状媒体の搬送方向においてこの順番に配置されており、ステップＳ４において算出される搬送距離Ｌ２は比較的短くなっている。そのため、本形態では、ステップＳ４において、搬送機構４による搬送誤差等の誤差の影響が抑制された状態の基準媒体２５の搬送距離Ｌ２を算出することが可能になる。
【００３９】
このように、本形態では、ステップＳ４において、パンチ孔検知機構８の検知誤差の影響が排除された状態であって、かつ、搬送機構４による搬送誤差等の誤差の影響が抑制された状態の基準媒体２５の搬送距離Ｌ２を算出することが可能になるため、搬送距離Ｌ１だけ搬送されて停止した基準媒体２５の基準パンチ孔２５ａとパンチ孔検知機構８との、基準媒体２５の搬送方向における距離を精度良く算出することが可能になる。したがって、本形態では、ステップＳ５において、カード状媒体の搬送方向におけるパンチ孔検知機構８とパンチ刃５との距離Ｌ３と搬送距離Ｌ２との差ΔＬに基づいて、精度の高い調整値を算出することが可能になる。
【００４０】
その結果、本形態では、搬送機構４で搬送されるカード状媒体の端部が媒体端部検知機構７で検知された位置を基準にして、ステップＳ５で算出された調整値を搬送距離Ｌ１に加算した距離、または、ステップＳ５で算出された調整値を搬送距離Ｌ１から減算した距離、カード状媒体を搬送して停止させることで、パンチ刃５によってカード状媒体の正しい位置にパンチ孔を開けることが可能になる。すなわち、本形態では、カード状媒体にパンチ孔を精度良く開けられるように媒体処理装置１を調整することが可能になる。
【００４１】
また、本形態では、１種類の基準媒体２５を媒体処理装置１に取り込んで媒体処理装置１の調整を行えば良いため、上述の特許文献１に記載のカード処理装置のように、校正モードにおいて２種類の校正用カードをカード処理装置に取り込まなければならない場合と比較して、媒体処理装置１の調整作業を簡素化することが可能になる。
【００４２】
（他の実施の形態）
上述した形態は、本発明の好適な形態の一例ではあるが、これに限定されるものではなく本発明の要旨を変更しない範囲において種々変形実施が可能である。
【００４３】
上述した形態では、ステップＳ１〜Ｓ４の処理を１回行うとともに、ステップＳ５で算出された１個の、距離Ｌ３と搬送距離Ｌ２との差ΔＬに基づいて、調整値を算出している。この他にもたとえば、ステップＳ１〜Ｓ４の処理を複数回行うとともに、ステップＳ５で算出された複数個の、距離Ｌ３と搬送距離Ｌ２との差ΔＬに基づいて、調整値を算出しても良い。この場合には、たとえば、複数個の差ΔＬの平均値に基づいて、調整値を算出する。
【００４４】
上述した形態では、基準媒体２５に１個の基準パンチ孔２５ａが形成されている。この他にもたとえば、基準媒体２５の搬送方向において所定の間隔をあけた状態で配置される複数個の基準パンチ孔２５ａが基準媒体２５に形成されても良い。この場合には、複数個の基準パンチ孔２５ａごとに、ステップＳ１〜Ｓ５の処理を行って、複数個の基準パンチ孔２５ａごとの調整値を算出して記憶しても良い。また、複数個の基準パンチ孔２５ａごとに調整値を算出しなくても、カード状媒体に精度良くパンチ孔を形成することができる場合には、複数個の基準パンチ孔２５ａのうちのいくつかの基準パンチ孔２５ａに関してステップＳ１〜Ｓ５の処理を行って、いくつかの基準パンチ孔２５ａの調整値を算出して記憶しても良い。また、１個の基準パンチ孔２５ａが基準媒体２５の搬送方向において異なる位置に形成されている複数枚の基準媒体２５を媒体処理装置１に順次挿入して、ステップＳ１〜Ｓ５の処理を行い、複数枚の基準媒体２５ごとの調整値を算出して記憶しても良い。
【００４５】
上述した形態では、ステップＳ２において、基準媒体２５の移動方向における基準媒体２５の先端部が媒体端部検知機構７で検知された位置を基準にして、初期設定された搬送距離Ｌ１だけ基準媒体２５を搬送して停止させている。この他にもたとえば、基準媒体２５の移動方向における基準媒体２５の後端部が媒体端部検知機構７で検知された位置を基準にして、初期設定された所定の搬送距離だけ基準媒体２５を搬送して停止させても良い。
【００４６】
上述した形態では、ステップＳ４において、ステップＳ２で停止した基準媒体２５の停止位置と、ステップＳ３においてパンチ孔検知機構８が基準パンチ孔２５ａを検知し始めてから基準パンチ孔２５ａを検知し終わるまでの中心位置Ｃとの間の基準媒体２５の搬送距離Ｌ２を算出している。この他にもたとえば、ステップＳ４において、ステップＳ２で停止した基準媒体２５の停止位置と、ステップＳ２においてパンチ孔検知機構８が基準パンチ孔２５ａを検知し始めてから基準パンチ孔２５ａを検知し終わるまでの中心位置Ｃとの間の基準媒体２５の搬送距離Ｌ２を回転量検知機構１２での検知結果に基づいて算出しても良い。この場合であっても、上述した形態と同様の効果を得ることができる。また、この場合には、ステップＳ３を省略することができる。
【００４７】
また、ステップＳ４において、ステップＳ２でパンチ孔検知機構８が基準パンチ孔２５ａを検知し始める位置とステップＳ３でパンチ孔検知機構８が基準パンチ孔２５ａを検知し始める位置との中心位置Ｃと、ステップＳ２で停止した基準媒体２５の停止位置との間の基準媒体２５の搬送距離Ｌ２を回転量検知機構１２での検知結果に基づいて算出しても良い。この場合であっても、上述した形態と同様の効果を得ることができる。なお、この場合には、ステップＳ３において、少なくともパンチ孔検知機構８が基準パンチ孔２５ａを検知し始めるまで搬送機構４で基準媒体２５を搬送して停止させれば良い。
【００４８】
また、ステップＳ４において、ステップＳ２でパンチ孔検知機構８が基準パンチ孔２５ａを検知し終わる位置とステップＳ３でパンチ孔検知機構８が基準パンチ孔２５ａを検知し終わる位置との中心位置Ｃと、ステップＳ２で停止した基準媒体２５の停止位置との間の基準媒体２５の搬送距離Ｌ２を回転量検知機構１２での検知結果に基づいて算出しても良い。この場合であっても、上述した形態と同様の効果を得ることができる。
【符号の説明】
【００４９】
１  媒体処理装置
３  搬送路
４  搬送機構
５  パンチ刃
７  媒体端部検知機構
８  パンチ孔検知機構
１１  モータ
１２  回転量検知機構
２０  発光部
２１  受光部
２５  基準媒体
２５ａ  基準パンチ孔
Ｓ１  媒体挿入ステップ
Ｓ２  媒体搬送停止ステップ
Ｓ３  第２媒体搬送停止ステップ
Ｓ４  搬送距離算出ステップ
Ｓ５  調整値算出記憶ステップ
Ｘ  カード状媒体の搬送方向
【図１】
2016051356.tif 000003
【図２】
2016051356.tif 000004
【図３】
2016051356.tif 000005
【図４】
2016051356.tif 000006